(57)【要約】【課題】輝度を低下させることなくコントラストを向上させた自発光型表示装置を提供する。【解決手段】映像信号に基づいて発光する複数の発光素子１が配列された自発光型表示装置であって、発光素子１は、自発光型表示装置に入射する可視光を再帰反射する。これにより、自発光型表示装置に対して斜め方向から入射する外光を再び同じ方向に反射させるので、反射光が観察者に到達することがない。【選択図】図１
2008309937.tif 000002
【特許請求の範囲】
【請求項１】
映像信号に基づいて発光する複数の発光素子を含む自発光型表示装置であって、
前記発光素子は、前記自発光型表示装置に入射する可視光を再帰反射する、自発光型表示装置。
【請求項２】
前記発光素子は、再帰反射性を有する球状の蛍光体である、請求項１に記載の自発光型表示装置。
【請求項３】
前記発光素子は、１．８〜２．３の屈折率を有する、請求項１に記載の自発光型表示装置。
【請求項４】
前記発光素子は、前記自発光型表示装置に入射する可視光を透過し、
前記自発光型表示装置は、さらに、前記発光素子を透過して入射する可視光を再帰反射する再帰反射層を前記発光素子の背面側に備える、請求項１に記載の自発光型表示装置。
【請求項５】
前記再帰反射層は、再帰反射性を有するガラス製球体を含む、請求項４に記載の自発光型表示装置。
【請求項６】
前記再帰反射層は、屈折率が１．８〜２．３である再帰反射性を有するガラス製球体を含む、請求項４に記載の自発光型表示装置。
【請求項７】
前記再帰反射層が、コーナーキューブアレイ、微小球アレイ、マイクロレンズアレイのいずれか１つである、請求項４に記載の自発光型表示装置。
【請求項８】
前記再帰反射層は、再帰反射性を有するガラス製球体と、前記ガラス製球体の背面側に形成され可視光を反射する反射層とを含む、請求項４に記載の自発光型表示装置。
【請求項９】
互いに離隔して配置される前面板及び背面板と、前記前面板と前記背面板との間に形成される放電空間を区画する隔壁と、前記隔壁により区画された放電セル内で放電を発生させるための電極と、前記放電によって発生した紫外線により励起されて発光する蛍光体層とを備えるプラズマディスプレイパネルであって、
前記蛍光体層は、前記前面板から入射する可視光を再帰反射する蛍光体を含む、プラズマディスプレイパネル。
【請求項１０】
各前記蛍光体の平均粒径は、前記放電セルの大きさの１／５以下であることを特徴とする、請求項９に記載のプラズマディスプレイパネル。
【請求項１１】
前記蛍光体層は、前記前面板から入射する可視光を透過し、
前記プラズマディスプレイパネルは、さらに、前記前面板からの可視光を再帰反射する再帰反射層を前記蛍光体層の背面板側に備える、請求項９に記載のプラズマディスプレイパネル。
【請求項１２】
前記再帰反射層は、平均粒径が前記放電セルの大きさの１／５以下である再帰反射性を有するガラス製球体を含む、請求項１１に記載のプラズマディスプレイパネル。
【請求項１３】
前記再帰反射層が、コーナーキューブアレイ、微小球アレイ、マイクロレンズアレイのいずれか１つである、請求項１１に記載のプラズマディスプレイパネル。
【請求項１４】
前記再帰反射層は、前記前面板からの可視光を再帰反射するガラス製球体と、前記ガラス製球体の背面側に形成され可視光を反射する反射層とを含む、請求項１１に記載のプラズマディスプレイパネル。
【請求項１５】
前記再帰反射層は、前記前面板からの可視光を再帰反射するガラス製球体と、前記ガラス製球体の背面側に形成され、入射する紫外線を反射して前記蛍光体層に導く紫外線反射層とを含む、請求項１１に記載のプラズマディスプレイパネル。
【請求項１６】
電子ビームを出射する電子銃と、前記電子ビームを偏向する偏向ヨークと、前記電子ビームが照射されて発光する蛍光体とを備えるＣＲＴ表示装置であって、
前記蛍光体は、前記ＣＲＴ表示装置に入射する可視光を再帰反射する、ＣＲＴ表示装置。
【請求項１７】
前記蛍光体は、入射する可視光を透過して、
前記ＣＲＴ表示装置は、さらに、前記蛍光体を透過して入射する可視光を再帰反射する再帰反射層を前記蛍光体の背面側に備える、請求項１６に記載のＣＲＴ表示装置。
【請求項１８】
前記再帰反射層が、コーナーキューブアレイ、微小球アレイ、マイクロレンズアレイのいずれか１つである、請求項１７に記載のＣＲＴ表示装置。
【発明の詳細な説明】
【技術分野】
【０００１】
本発明は、自発光型表示装置に関し、より特定的にはコントラストを向上させた表示装置に関する。
【背景技術】
【０００２】
自発光型の表示装置は、優れた色再現性や動画に適した応答性、さらに視野角の依存性が無いことから、表示装置として広く普及している。また、自発光型表示装置は、バックライトを必要としないので薄型化を実現することができる。その結果、近年では薄型でかつ大画面のプラズマディスプレイが普及しつつある。
【０００３】
しかしながら、このような自発光型表示装置は、液晶ディスプレイと比較してコントラストが低いことが問題とされている。特に、自発光型表示装置が明るい環境下に設置されるとコントラストの低下が大きい。
【０００４】
例えばプラズマディスプレイパネルでは、反射率の高い蛍光体層が形成された放電セル内部に外光が入射して観察者側に反射されるのでコントラストが低下する。これに対して、蛍光体層よりも観察者側に透過率の低いフィルターを配置してコントラストの低下を抑制する技術が知られている。かかる技術により、外光はフィルターを透過して蛍光体層に到達して反射された後、再度フィルターを透過して観察者側に出射される。一方、放電セルからの映像光はフィルターを一度だけ透過する。したがって、フィルターによる光量低下は映像光よりも外光の方が大きくなるので、明るい環境下におけるコントラストの低下を抑制できるとしている。
【０００５】
また、明るい場所でも高いコントラストを実現する他の方法として、例えば特許文献１のカラープラズマディスプレイパネルが提案されている。特許文献１のプラズマディスプレイパネルは、対応する画素毎にカラーフィルターを設けている。すなわち、特許文献１のプラズマディスプレイパネルは、誘電体層に接するか、あるいは誘電体層の内部に無機顔料微粒子を主成分とする膜厚の薄いカラーフィルター層が形成された構成を有している。これにより、特許文献１は外光の反射を抑え、明るい場所でもコントラストの低下が軽減されたプラズマディスプレイパネルを提供できるとしている。
【特許文献１】特開平１０−６９８５９号公報
【発明の開示】
【発明が解決しようとする課題】
【０００６】
しかしながら、蛍光体層で反射され観察者に到達する外光の光量を減少させるために、透過率の低いフィルターを蛍光体層よりも観察者側に配置すると、観察されるべき映像光もフィルターにより減衰されるため、パネル輝度が低下するという問題があった。
【０００７】
また、特許文献１のプラズマディスプレイパネルについても同様に、放電セルで発光した映像光は、各画素に設けられたカラーフィルターを通過することになるので、パネル輝度が低下するという問題があった。このように従来の技術によると、明るい環境下におけるコントラストの低下を抑制すると、映像光も暗くなってしまい、品質の高い映像を提供することができなかった。
【０００８】
また、コントラストの低下は、プラズマディスプレイパネルに限られず、ＣＲＴ表示装置等の他の自発光型表示装置においても同様の問題がある。
【０００９】
そこで本発明の目的は、上記課題に鑑みてなされたものであり、輝度を低下させることなくコントラストを向上させた自発光型表示装置を提供することにある。
【課題を解決するための手段】
【００１０】
本発明の目的は、以下の構成を備える自発光型表示装置によって達成される。
映像信号に基づいて発光する複数の発光素子を含む自発光型表示装置であって、
発光素子は、自発光型表示装置に入射する可視光を再帰反射する。
【００１１】
好ましくは、発光素子は、自発光型表示装置に入射する可視光を透過し、
自発光型表示装置は、さらに、発光素子を透過して入射する可視光を再帰反射する再帰反射層を発光素子の背面側に備える。
【００１２】
本発明の目的は、以下の構成を備えるプラズマディスプレイパネルによって達成される。互いに離隔して配置される前面板及び背面板と、前面板と背面板との間に形成される放電空間を区画する隔壁と、隔壁により区画された放電セル内で放電を発生させるための電極と、放電によって発生した紫外線により励起されて発光する蛍光体層とを備えるプラズマディスプレイパネルであって、
蛍光体層は、前面板から入射する可視光を再帰反射する蛍光体を含む。
【００１３】
好ましくは、蛍光体層は、前面板から入射する可視光を透過し、
プラズマディスプレイパネルは、さらに、前面板からの可視光を再帰反射する再帰反射層を蛍光体層の背面板側に備える。
【００１４】
本発明の目的は、以下の構成を備えるＣＲＴ表示装置によって達成される。
電子ビームを出射する電子銃と、電子ビームを偏向する偏向ヨークと、電子ビームが照射されて発光する蛍光体とを備えるＣＲＴ表示装置であって、
蛍光体は、ＣＲＴ表示装置に入射する可視光を再帰反射する。
【００１５】
好ましくは、蛍光体は、ＣＲＴ表示装置に入射する可視光を透過し、
ＣＲＴ表示装置は、さらに、蛍光体を透過して入射する可視光を再帰反射する再帰反射層を蛍光体の背面側に備える。
【発明の効果】
【００１６】
本発明により、輝度を低下させることなくコントラストを向上させた自発光型表示装置を提供することができる。
【発明を実施するための最良の形態】
【００１７】
（実施の形態１）
実施の形態１に係る自発光型表示装置について図面を参照しながら説明する。室内の照明や太陽光が入射する明るい環境下において、自発光型表示装置には全方位からの外光が入射するが、その中でも特に斜め方向から入射する外光がコントラストの低下に大きな影響を与える。そこで、本実施の形態の自発光型表示装置は、斜め上方から入射する外光が発光素子に入射しても、反射光が観察者に入射することを防止して、コントラストを向上させる点に特徴がある。以下、本実施の形態の自発光型表示装置について説明する。
【００１８】
図１は、本実施の形態に係る自発光型表示装置の構成を示す概略図である。図に示すように、自発光型表示装置は複数の発光素子１とフェースプレート２と映像信号出力部３とを備える。
【００１９】
発光素子１は、映像信号出力部３から出力される映像信号に応じて発光強度を変化させるとともに、再帰反射性を有する素子である。フェースプレート２は、発光素子１よりも観察者側に配置され、発光素子１を保持している。
【００２０】
映像信号出力部３から映像信号が出力されると、発光素子１は映像信号に応じて励起されて映像光を出射する。出射された光は、フェースプレート２を透過して観察者に到達し、映像が観察される。
【００２１】
一方、自発光型表示装置に対して斜め上方から入射する外光の反射によるコントラストの低下は、次のように抑制される。すなわち、斜め方向から入射した外光は、フェーズプレート２を透過して発光素子１に入射し、入射面で屈折作用を受けた後、入射面と対向する面に到達し反射する。図２は、外光が入射する発光素子１近傍を拡大した概略断面図である。図に示すように、発光素子１に入射した外光は、入射面で屈折作用を受けて、入射面と対向する面に到達し反射する。反射光は発光素子１から出射されるときに再び屈折されて、ほぼ入射した方向と平行に出射される。このように、自発光型表示装置に斜め方向から入射した外光は、入射した方向と平行に反射されるので、観察者が存在する方向に到達することがない。
【００２２】
以上のように、本実施の形態に係る自発光型表示装置は、再帰反射性を有する発光素子を備えることにより、自発光型表示装置に対して斜め方向から入射する外光を再び同じ方向に反射させるので、反射光が観察者に到達することがない。したがって、照明や太陽光等の外光が入射する明るい環境下であっても、輝度を低下させることなくコントラストの高い自発光型表示装置を提供できる。
【００２３】
（実施の形態２）
実施の形態２に係るプラズマディスプレイパネルについて図を用いて説明する。実施の形態１と同様に、室内の照明や太陽光が入射する明るい環境下において、プラズマディスプレイパネルには全方位からの外光が入射するが、その中でも特に斜め方向から入射する外光がコントラストの低下に大きな影響を与える。そこで、本実施の形態のプラズマディスプレイパネルは、斜め上方から入射する外光が蛍光体層に入射しても、反射光が観察者に入射することを防止して、コントラストを向上させる点に特徴がある。以下、本実施の形態のプラズマディスプレイパネルの構成について説明する。
【００２４】
図３は、本実施の形態のプラズマディスプレイパネルの構成を示す概略断面図である。プラズマディスプレイパネルは、離隔して配置される前面パネル１００及び背面パネル２００を備えている。前面パネル１００と背面パネル２００との対向間隙にはＸｅ、Ｈｅ、Ｎｅ等の放電ガスが封入されている。
【００２５】
背面パネル２００は、蛍光体層２１１と、隔壁２１０と、誘導体層２２０と、背面基板２３０とを有する。より詳細には、例えばガラス基板からなる背面基板２３０の観察者側表面に図示しない各電極及び誘電体層２２０が形成され、さらに誘電体層２２０の観察者側に突出するように隔壁２１０が形成される。隔壁２１０は前面パネル１００と背面パネル２００との間隙に形成された放電空間を区画して放電セル３００を形成する。さらに隔壁表面は、頭頂部を残して蛍光体が塗布され、蛍光体層２１１が形成される。ここで、本実施の形態の蛍光体は再帰反射性を有しており、蛍光体層２１１は入射光と同じ方向に光を反射させる。
【００２６】
前面パネル１００は、前面基板１０１と、対向電極１０２と、誘電体層１０３と、保護層１０４とを有する。より詳細には、例えばガラス基板からなる前面基板１０１の背面パネル側表面に、透過率の高い透明電極及び抵抗値の低いバス電極を含む対向電極１０２が形成される。誘電体層１０３は対向電極を被膜し、さらに誘電体層１０３の背面パネル側表面には、例えば酸化マグネシウム（ＭｇＯ）からなる保護層１０４が形成される。なお、前面パネル１００及び背面パネル２００の構成は一例であり、これらに限られるものではない。
【００２７】
背面パネル２００と前面パネル１００との間に形成された放電空間には、Ｘｅ、Ｈｅ、Ｎｅ等の放電ガスが封入される。このように構成されたプラズマディスプレイパネルにおいて、放電セルの対向電極にパルス状ＡＣ電圧が印加されると、表示放電が起こり紫外線が発生する。発生した紫外線は、背面パネルに形成された蛍光体層２１１の蛍光体を励起して可視光を発生させ、映像光として観察者側に出射する。
【００２８】
また、プラズマディスプレイパネルに対して斜め方向に入射する外光の反射によるコントラストの低下は、次のように抑制される。すなわち、斜め方向から入射した外光は、前面基板１０１、誘電体層１０３及び保護層１０４を透過して、放電セル３００内に入射する。より詳細には、放電セル３００内に入射した外光は蛍光体層２１１に入射し、入射面で屈折作用を受けて、入射面と対向する面に到達し反射する。反射光は蛍光体から射出するときに屈折されて、ほぼ入射した方向と平行に出射される。このように、放電セル３００内に入射した外光は、入射した方向と平行に反射されるので、観察者が存在する方向に到達することがない。
【００２９】
なお、本実施の形態における蛍光体の形状は球形であることが好ましい。また、蛍光体の直径は放電セルの大きさの１／５以下であることが好ましい。このように構成することにより、放電セル内の空間を確保することができ、良好な放電特性を得ることができる。
【００３０】
さらに、蛍光体の屈折率は１．８〜２．３の範囲にあることが好ましい。これにより、蛍光体に入射する光と蛍光体で反射される光との角度差を小さくすることができ、観察者に到達する反射光を低減させることができる。
【００３１】
以上のように、本実施の形態に係るプラズマディスプレイパネルは、放電セル内に再帰反射性を有する蛍光体層を備えることにより、プラズマディスプレイに対して斜め方向から入射する外光を再び同じ方向に反射させるので、反射光が観察者に到達することがない。したがって、照明や太陽光等の外光が入射する明るい環境下であっても、輝度を低下させることなくコントラストの高いプラズマディスプレイパネルを提供することができる。
【００３２】
また、従来のプラズマディスプレイパネルと比較して、再帰反射性を有する蛍光体を塗布するだけでよいので、簡易な構成でコントラストの向上を図ることができる。
【００３３】
（実施の形態３）
次に、実施の形態３に係るＣＲＴ表示装置について図面を参照しながら説明する。図４は本実施の形態に係るＣＲＴ表示装置の構成を示す概略図である。ＣＲＴ表示装置は、蛍光体１０と真空容器２０と映像信号出力部３０と偏向ヨーク４０と電子銃５０とを備える。
【００３４】
蛍光体１０は、ＣＲＴ表示装置の前面側に配置され、電子ビームが照射されることによって光を発するとともに再帰反射性を有している。電子銃５０は、映像信号出力部３０からの映像信号に応じて蛍光体１０を発光させる電子ビームを出射する。偏向ヨーク４０は、真空容器２０のネック部に配置され、電子銃５０から出射された電子ビームを上下左右に偏向させる。電子銃５０から出射された電子ビームは、偏向ヨーク４０により偏向されて発光すべき蛍光体１０に照射されることにより、ＣＲＴ表示装置の画面上には映像が表示される。
【００３５】
一方、ＣＲＴ表示装置に対して斜め上方から入射する外光の反射によるコントラストの低下は、次のように抑制される。すなわち、斜め方向から入射した外光は、蛍光体１０に入射し、入射面で屈折作用を受けた後、入射面と対向する面に到達し反射する。反射光は蛍光体１０から出射するときに再び屈折されて、ほぼ入射した方向と平行に出射される。このように、ＣＲＴ表示装置に斜め方向から入射した外光は、入射した方向と平行に反射されるので、観察者が存在する方向に到達することがない。
【００３６】
以上のように、本実施の形態に係るＣＲＴ表示装置は、再帰反射性を有する蛍光体を備えることにより、ＣＲＴ表示装置に対して斜め方向から入射する外光を再び同じ方向に反射させるので、反射光が観察者に到達することがない。したがって、照明や太陽光等の外光が入射する明るい環境下であっても、輝度を低下させることなくコントラストの高いＣＲＴ表示装置を提供できる。
【００３７】
（実施の形態４）
次に、実施の形態４に係る自発光型表示装置について図面を参照しながら説明する。図５は本実施の形態の自発光型表示装置の構成を示す概略断面図である。図に示すように、本実施の形態の自発光型表示装置は、実施の形態２の自発光型表示装置とほぼ同様の構成を備えるが、発光素子１の背面側に再帰反射層４をさらに備えるとともに、可視光が発光素子１を透過する点で異なる。以下、実施の形態２と同様の構成要素については同じ参照符号を付し、異なる点を中心に説明する。
【００３８】
自発光型表示装置は発光素子１とフェースプレート２と映像信号出力部３と発光素子１の背面側に再帰反射層４を備える。再帰反射層４は、例えばガラス球を用いたコーナーキューブアレイや微小球アレイ、マイクロレンズアレイである。
【００３９】
このように構成された自発光型表示装置において、斜め上方から入射する外光は、フェーズプレート２及び発光素子１を透過して、再帰反射層４に入射する。し、入射面で屈折作用を受けた後、入射面と対向する面に到達し反射する。そして入射した外光は、再帰反射層４により入射した方向と平行に反射される。したがって、自発光型表示装置に対して斜め上方から入射した外光は、再帰反射層４により斜め上方に反射されるので、観察者に到達しない。
【００４０】
以上のように、本実施の形態に係る自発光型表示装置は、発光素子の背面側に再帰反射層を備えることにより、自発光型表示装置に対して斜め方向から入射する外光を再び同じ方向に反射させるので、反射光が観察者に到達することがない。したがって、照明や太陽光等の外光が入射する明るい環境下であっても、輝度を低下させることなくコントラストの高い自発光型表示装置を提供できる。
【００４１】
なお、再帰反射層４を構成する各ガラスの直径は発光素子１のサイズの１／５以下であることが好ましい。またガラス球の屈折率は１．８〜２．３の範囲であることが好ましい。これにより、外光が再帰反射層４に入射して屈折されても再帰反射層４からの反射光が入射光とがほぼ同じ経路で反射されるので、効果的にコントラストを向上させることができる。
【００４２】
（実施の形態５）
図６は、実施の形態５に係るプラズマディスプレイパネルの構成を示す概略断面図である。本実施の形態のプラズマディスプレイパネルは、実施の形態１のプラズマディスプレイパネルとほぼ同様の構成を備えるが、蛍光体層３１１の背面パネル側に再帰反射層３５０を備える点で異なる。以下、実施の形態１と同様の構成要素については同じ参照符号を付し、異なる点を中心に説明する。
【００４３】
実施の形態１と同様に、隔壁２１０は前面パネル１００と背面パネル２００との間隙に形成された放電空間を区画して放電セル３００を形成する。隔壁２１０の頭頂部及び側面を残して放電セル３００の内壁部に再帰反射層３５０が形成された後、放電セル３００の頭頂部を残して赤色（Ｒ）、緑色（Ｇ）、青色（Ｂ）の各蛍光体が色分け塗布され、蛍光体層３１１が形成される。このように、本実施の形態では、蛍光体層３１１の背面パネル側に再帰反射層３５０が形成される。再帰反射層３５０は、例えばガラス球を用いたコーナーキューブアレイや微小球アレイ、マイクロレンズアレイである。
【００４４】
ここで、蛍光体層３１１の厚みは従来のものよりも薄いため、入射した可視光は蛍光体層３１１を透過する。蛍光体の粒子は光を透過させる性質を有するが、蛍光体の粒子が多数集まった集合体に入射した光は、透過を繰り返して乱反射され、拡散反射されることになる。そのため、蛍光体層を透過する光量は減少する。かかる拡散反射を抑制して、透過率を増大させるためには蛍光体の厚みを薄くすればよい。
【００４５】
このように構成されたプラズマディスプレイパネルにおいて、外光は前面パネル１００及び蛍光体層３１１を透過した後、再帰反射層３５０に入射する。そして入射した外光は、再帰反射層３５０により入射した方向と平行に反射される。したがって、プラズマディスプレイパネルに対して斜め上方から入射した外光は、再帰反射層３５０により斜め上方に反射されるので、観察者に到達しない。
【００４６】
なお、再帰反射層３５０を構成する各ガラスの直径は放電セル３００のサイズの１／５以下であることが好ましい。またガラス球の屈折率は１．８〜２．３の範囲であることが好ましい。これにより、放電セル内の空間を確保し、良好な放電特性を得ることができるとともに、外光が再帰反射層３５０に入射して屈折されても再帰反射層３５０からの反射光が入射光とがほぼ同じ経路で反射されるので、効果的にコントラストを向上させることができる。
【００４７】
以上のように、本実施の形態に係るプラズマディスプレイパネルは、再帰反射性を有する蛍光体を備えることにより、斜め上方から入射する外光を再び同じ方向に反射させるので、反射光が観察者に到達することがない。したがって、照明や太陽光等の外光が入射する明るい環境下であっても、輝度を低下させることなくコントラストの高いプラズマディスプレイパネルを提供できる。
【００４８】
（実施の形態６）
図７は、実施の形態６に係るＣＲＴ表示装置の構成を示す概略断面図である。本実施の形態のＣＲＴ表示装置は、実施の形態３のＣＲＴ表示装置とほぼ同様の構成を備えるが、蛍光体１０の背面側に再帰反射層６０をさらに備える点で異なる。以下、実施の形態３と同様の構成要素については同じ参照符号を付し、異なる点を中心に説明する。
【００４９】
図に示すように、ＣＲＴ表示装置は蛍光体１０と、蛍光体１０の背面側に配置された再帰反射層６０と、真空容器２０と、映像信号出力部３０と、偏向ヨーク４０と、電子銃５０とを備える。再帰反射層６０は、例えばガラス球を用いたコーナーキューブアレイや微小球アレイ、マイクロレンズアレイである。
【００５０】
このように構成されたＣＲＴ表示装置において、斜め上方から入射する外光は、蛍光体１０を透過して再帰反射層６０に入射する。そして入射した外光は、再帰反射層６０により入射した方向と平行に反射される。したがって、ＣＲＴ表示装置に対して斜め上方から入射した外光は、再帰反射層６０により斜め上方に反射されるので、観察者に到達することがない。
【００５１】
以上のように、本実施の形態に係るＣＲＴ表示装置は、蛍光体の背面側に再帰反射層を備えることにより、ＣＲＴ表示装置に対して斜め方向から入射する外光を再び同じ方向に反射させるので、反射光が観察者に到達することがない。したがって、照明や太陽光等の外光が入射する明るい環境下であっても、輝度を低下させることなくコントラストの高いＣＲＴ表示装置を提供できる。
【産業上の利用可能性】
【００５２】
本発明は、コントラストの向上が要望されるＣＲＴ表示装置やプラズマディスプレイ等、種々の映像表示装置等に好適である。
【図面の簡単な説明】
【００５３】
【図１】実施の形態１に係る自発光型表示装置の構成を示す概略断面図
【図２】実施の形態１における発光素子近傍を拡大した概略断面図
【図３】実施の形態２に係るプラズマディスプレイパネルの構成を示す概略断面図
【図４】実施の形態３に係るＣＲＴ表示装置の構成を示す概略断面図
【図５】実施の形態４に係る自発光型表示装置の構成を示す概略断面図
【図６】実施の形態５に係るプラズマディスプレイパネルの構成を示す概略断面図
【図７】実施の形態６に係るＣＲＴ表示装置の構成を示す概略断面図
【符号の説明】
【００５４】
１    発光素子
２    フェースプレート
３    映像信号出力部
４    再帰反射層
１０    蛍光体
２０    真空容器
３０    映像信号出力部
４０    偏向ヨーク
５０    電子銃
６０    再帰反射層
１００    前面パネル
１０１    前面基板
１０２    対向電極
１０３    誘電体層
１０４    保護層
２００    背面パネル
２１０    隔壁
２１１    蛍光体層
２２０    誘電体層
２３０    背面基板
３００    放電セル
３１１    蛍光体層
３５０    再帰反射層
【図１】
2008309937.tif 000003
【図２】
2008309937.tif 000004
【図３】
2008309937.tif 000005
【図４】
2008309937.tif 000006
【図５】
2008309937.tif 000007
【図６】
2008309937.tif 000008
【図７】
2008309937.tif 000009